【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
フロント部材とバック部材とから構成され、放射線撮影用蓄積性蛍光体シートを収容したカセッテにおいて、
気相成長法により形成された厚さが２０μｍ乃至２ｍｍの範囲内の柱状結晶からなる蓄積性蛍光体シートと、
前記バック部材から突出した台座と、
前記バック部材が変形したときに、前記蓄積性蛍光体シートと前記台座とを相対移動可能に接合する接合手段と、を有することを特徴とするカセッテ。
【請求項２】
前記接合手段は、マグネット、弾性接着剤、及び両面テープのいずれかであることを特徴とする請求項１に記載のカセッテ。
【請求項３】
前記接合手段は、第１の台座と前記蓄積性蛍光体シートとを弾性接着剤または両面テープで接合し、第２の台座と前記蓄積性蛍光体シートとをマグネットで接合することを特徴とする請求項１または２に記載のカセッテ。
【請求項４】
前記接合手段は、前記バック部材が変形したとき、端部でほぼ点接触状態となって離れるように吸着力が設定されたマグネットと鉄箔とからなることを特徴とする請求項１，２または３に記載のカセッテ。
【請求項５】
前記蓄積性蛍光体シートの位置を規制する位置規制部を有することを特徴とする請求項１乃至４のいずれか１項に記載のカセッテ。
【手続補正２】
【補正対象書類名】明細書
【補正対象項目名】発明の名称
【補正方法】変更
【補正の内容】
【発明の名称】カセッテ
【手続補正３】
【補正対象書類名】明細書
【補正対象項目名】０００９
【補正方法】変更
【補正の内容】
【０００９】
本発明は、上述のような従来技術の問題に鑑み、気相成長法により成長した柱状結晶からなる蓄積性蛍光体シートに最適なカセッテ構造を有するカセッテを提供することを目的とする。
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】変更
【補正の内容】
【００１２】
本発明において好ましいカセッテ読取処理装置は、フロント部材とバック部材とから構成され、気相成長法により形成し厚さが２０μｍ乃至２ｍｍの範囲内の柱状結晶からなる記録部を有するシート状記録媒体（蓄積性蛍光体シート）を収容し前記記録部の反対面で前記バック部材と一体化し、前記柱状結晶の成長方向と略同一方向に前記フロント部材と前記バック部材とを相対的に脱着可能に構成し、前記フロント部材と前記記録媒体との距離を０．５乃至２ｍｍとしかつ前記フロント部材と前記バック部材とがロック手段により一体的に結合されるカセッテについて前記記録媒体から画像情報の読取処理を行うカセッテ読取処理装置であって、前記装置内で前記カセッテを保持し回動させるカセッテ保持回動手段と、前記カセッテ保持回動手段により回動された前記カセッテを読取処理のため前記バック部材側で吸着する吸着手段と、を備え、前記カセッテ保持回動手段は、前記カセッテを前記バック部材側で前記吸着手段に当接させて更に所定量回動させてから、前記ロック手段を解除し、前記カセッテの前記フロント部材を前記バック部材から離脱させることを特徴とする。
【手続補正６】
【補正対象書類名】明細書
【補正対象項目名】００１６
【補正方法】変更
【補正の内容】
【００１６】
本発明において好ましいカセッテ読取処理方法は、フロント部材とバック部材とから構成され、気相成長法により形成し厚さが２０μｍ乃至２ｍｍの範囲内の柱状結晶からなる記録部を有するシート状記録媒体（蓄積性蛍光体シート）を収容し前記記録部の反対面で前記バック部材と一体化し、前記柱状結晶の成長方向と略同一方向に前記フロント部材と前記バック部材とを相対的に脱着可能に構成し、前記フロント部材と前記記録媒体との距離を０．５乃至２ｍｍとしかつ前記フロント部材と前記バック部材とがロック部により一体的に結合されるカセッテについて前記記録媒体から画像情報の読取処理を行うカセッテ読取処理方法であって、前記カセッテを保持し吸着部に向け回動させるステップと、前記回動されたカセッテを前記バック部材側で前記吸着部に当接させて更に所定量回動させるステップと、前記ロック部を解除し前記カセッテの前記フロント部材を前記バック部材から離脱させるステップと、前記吸着部に吸着されたバック部材と一体化した前記記録媒体から画像情報を読み取るステップと、を含むことを特徴とする。
【手続補正７】
【補正対象書類名】明細書
【補正対象項目名】００２０
【補正方法】変更
【補正の内容】
【００２０】
本発明によるカセッテは、フロント部材とバック部材とから構成され、放射線撮影用蓄積性蛍光体シートを収容したカセッテにおいて、気相成長法により形成された厚さが２０μｍ乃至２ｍｍの範囲内の柱状結晶からなる蓄積性蛍光体シートと、前記バック部材から突出した台座と、前記バック部材が変形したときに、前記蓄積性蛍光体シートと前記台座とを相対移動可能に接合する接合手段と、を有することを特徴とする。
【手続補正８】
【補正対象書類名】明細書
【補正対象項目名】００２１
【補正方法】変更
【補正の内容】
【００２１】
このカセッテによれば、接合手段により接合された台座と蓄積性蛍光体シートとが、バック部材が変形したときに相対移動可能であり、カセッテやバック部材が外力により変形しても、蓄積性蛍光体シートはバック部材に対し移動するので、外力の伝達が緩和される。このため、気相成長法により成長させた柱状結晶を用いた蓄積性蛍光体シートが壊れ難くなる。なお、シート状記録媒体（蓄積性蛍光体シート）を構成する厚さが２０μｍ乃至２ｍｍの範囲内の気相成長法による柱状結晶の成長方向と略同一方向にフロント部材とバック部材とが例えば画像情報の読み取り等のために相対的に脱着可能であることが好ましく、かかる脱着によりシート状記録媒体に外力が加わることが生じても、柱状結晶の成長方向と略同一方向に加わるので、柱状結晶が壊れ難くなる。また、フロント部材と記録媒体（蓄積性蛍光体シート）との距離を０．５乃至２ｍｍとすることが好ましく、フロント部材側からカセッテ内の記録媒体に外力が作用しようとしても、フロント部材と記録媒体との間に距離があるので、記録媒体の柱状結晶に外力が加わり難く、柱状結晶が壊れ難くなる。このため、カセッテの持ち運びのときやベットで寝ている患者をカセッテで放射線撮影するとき等にカセッテに外力が加わっても柱状結晶に対する悪影響を防止できる。また、記録媒体とフロント部材との距離が０．５ｍｍ以上であると両者の非接触を確実に維持でき、２ｍｍ以下であると画質が劣化しない。このようにして、気相成長法により成長させた柱状結晶からなる蓄積性蛍光体シートに最もストレスがかからない最適なカセッテ構造を有するカセッテを実現できる。
【手続補正９】
【補正対象書類名】明細書
【補正対象項目名】００２２
【補正方法】変更
【補正の内容】
【００２２】
前記接合手段は、マグネット、弾性接着剤、及び両面テープのいずれかであることが好ましい。また、前記接合手段は、第１の台座と前記蓄積性蛍光体シートとを弾性接着剤または両面テープで接合し、第２の台座と前記蓄積性蛍光体シートとをマグネットで接合することが好ましい。また、前記接合手段は、前記バック部材が変形したとき、端部でほぼ点接触状態となって離れるように吸着力が設定されたマグネットと鉄箔とからなることが好ましい。また、前記蓄積性蛍光体シートの位置を規制する位置規制部を有することが好ましい。
【手続補正１０】
【補正対象書類名】明細書
【補正対象項目名】００２３
【補正方法】変更
【補正の内容】
【００２３】
なお、上記カセッテにおいて前記シート状記録媒体（蓄積性蛍光体シート）は、矩形状のシートの片面に前記気相成長法により前記シート面と略直交する方向に結晶成長させたシート状画像記録部を有し、前記シート状画像記録部の反対面で前記バック部材側と一体化し、前記フロント部材が前記バック部材及び前記シート状記録媒体に対し脱着可能に構成されることが好ましい。これにより、シート状記録媒体を気相成長法による柱状結晶の反対面でバック部材側と一体化するので、シート状画像記録部に対し一体化による悪影響が生じ難い。
【手続補正１１】
【補正対象書類名】明細書
【補正対象項目名】００２６
【補正方法】変更
【補正の内容】
【００２６】
本発明において好ましい別のカセッテ読取処理装置は、上記カセッテ読取処理装置で上述のカセッテについて前記読取処理を行うように構成できる。
【手続補正１２】
【補正対象書類名】明細書
【補正対象項目名】００２７
【補正方法】変更
【補正の内容】
【００２７】
本発明において好ましい別のカセッテ読取処理方法は、上記カセッテ読取処理方法で上述のカセッテについて前記読取処理を行うように構成できる。
【手続補正１３】
【補正対象書類名】明細書
【補正対象項目名】００２８
【補正方法】変更
【補正の内容】
【００２８】
本発明のカセッテによれば、気相成長法により成長した柱状結晶からなる蓄積性蛍光体シートに最適なカセッテ構造を有するカセッテを実現できる。
【手続補正１４】
【補正対象書類名】明細書
【補正対象項目名】００２９
【補正方法】削除
【補正の内容】